(57)【要約】【課題】ガスコンロなどのガス器具では、地震等により所定の大きさ以上の振動が作用すると、ガスバーナへのガスの供給を遮断するものが知られている。一方、深夜など消灯しているときに地震が発生すると、室内が暗闇で瞬時に状況を把握することができず、不安になる。【解決手段】ガス木々には表示のためのＬＥＤが設けられている場合が多く、例えば火力調節ツマミ２の回りをＬＥＤで照明する発光部２１を、上記のガスの供給を遮断する際に点灯させるようにした。この点灯によりガス器具の回りが明るくなり、落ち着いた行動をとることができる。なお、電池ケース３は取り外すと懐中電灯として機能させれば更によい。【選択図】  図２
2009074716.tif 000002
【特許請求の範囲】
【請求項１】
ガスバーナとこのバスバーナへガスを供給するガス供給管とを備えると共に、所定の大きさより大きな振動を検知した場合にガス供給管を閉鎖してガスバーナへのガスの供給を遮断する感震遮断手段が内蔵され、かつ表示用の発光手段とこの発光手段を駆動する電源とを有するガス器具において、上記感震遮断手段が作動してガスバーナへのガスの供給が遮断された状態で上記発光手段を強制的に点灯させる非常点灯手段を設けたことを特徴とするガス器具。
【請求項２】
ガス器具の作動用の電力はガス器具の外部から供給され、その外部からの電力で上記電源を充電すると共に、外部からの電力の供給が停止した際に上記非常点灯手段を作動させることを特徴とする請求項１に記載のガス器具。
【請求項３】
上記電源はガス器具に対して着脱自在のケースに収納され、このケースに発光手段を設けてケースが懐中電灯として機能するように構成したことを特徴とする請求項１又は請求項２に記載のガス器具。
【発明の詳細な説明】
【技術分野】
【０００１】
本発明は、所定の大きさ以上の振動を検知してガスバーナへのガスの供給を遮断する機能を備えたガス器具に関する。
【背景技術】
【０００２】
従来のガス器具では、所定の大きさ異常の振動を検知すると地震が発生した可能性が高いと判断して、ガスバーナへのガスの供給を遮断する装置が内蔵されている。この種の装置は主にガステーブルに取り付けられており、調理中に地震が発生した場合、調理者が消火しなくても自動的に消火し火災の発生を未然に防止するように構成されている。
【０００３】
また、ガスファンヒータなどのガス器具では、転倒した場合に同じくガスバーナの作動を自動的に停止させるように構成されている。
【特許文献１】特開２００６−２３０５８号公報（請求項１）
【発明の開示】
【発明が解決しようとする課題】
【０００４】
深夜に家人が就眠中に地震が発生した場合、例えばガステーブルが調理中でなくても所定の大きさ以上の振動がガス器具に作用すると、ガスバーナへのガスの供給は遮断され、特に問題は生じない。しかし、就眠中であれば消灯している場合が多く、地震により目が覚めたときに室内が消灯した状態であれば、少なからずパニック状態となり、冷静な行動をとることが困難になる。
【０００５】
そこで本発明は、上記の問題点に鑑み、暗闇で地震が発生しても室内を識別することのできるガス器具を提供することを課題とする。
【課題を解決するための手段】
【０００６】
上記課題を解決するために本発明によるガス器具は、ガスバーナとこのバスバーナへガスを供給するガス供給管とを備えると共に、所定の大きさより大きな振動を検知した場合にガス供給管を閉鎖してガスバーナへのガスの供給を遮断する感震遮断手段が内蔵され、かつ表示用の発光手段とこの発光手段を駆動する電源とを有するガス器具において、上記感震遮断手段が作動してガスバーナへのガスの供給が遮断された状態で上記発光手段を強制的に点灯させる非常点灯手段を設けたことを特徴とする。
【０００７】
感震遮断手段が作動してガスの供給が遮断される場合には非常点灯手段により発光手段を点灯させることとした。これにより室内が暗闇状態であっても発光手段から発せられる明かりにより室内を識別することができる。
【０００８】
また、ガス器具の作動用の電力はガス器具の外部から供給され、その外部からの電力で上記電源を充電すると共に、外部からの電力の供給が停止した際に上記非常点灯手段を作動させることにより、停電時にも発光手段を強制的に点灯させてもよい。
【０００９】
さらに、上記電源はガス器具に対して着脱自在のケースに収納され、このケースに発光手段を設けてケースが懐中電灯として機能するように構成すれば、ガス器具から離れた場所での作業を容易に行うことができる。
【発明の効果】
【００１０】
以上の説明から明らかなように、本発明は、夜間消灯中に地震が発生しても、ガス器具の発光手段が点灯し室内を照らすので、その後の行動を冷静に行うことができる。
【発明を実施するための最良の形態】
【００１１】
図１を参照して、１はビルトイン式のガスコンロである。このガスコンロ１の操作パネル１１には各ガスバーナの火力を調節するための火力調節つまみ２が設けられている。また、このガスコンロ１の駆動電源は乾電池からの電力によるもので、電気の収納部を隠すための開閉自在の蓋板１２が設けられている。
【００１２】
火力調節つまみ２を囲むように発光部２１が設けられている。この発光部２１は内部にＬＥＤを備えており、作動中のガスバーナに対応する火力調節つまみ２が識別できるように点灯するものであり、上記乾電池を電源としている。
【００１３】
図２を参照して、上記蓋板１２を開放すると内部に電池ケース３を収納する収納部１３が開口するように設けられている。この収納部１３には電池ケース３が出し入れ自在に収納される。
【００１４】
電池ケース３には乾電池が収納されるが、さらに電池ケース３の端部にＬＥＤ３１を設け、スイッチ３２で点消灯できるようにして、電池ケース３単体で懐中電灯として機能するようにした。
【００１５】
図３を参照して、４はガスコンロ１に内蔵されているコントローラであり、電池ケース３内の乾電池３０を電源として作動する。このコントローラ４には上記各発光部２１のＬＥＤ２１が接続され、このコントローラ４により各ＬＥＤ２１の点消火が制御される。またコントローラ４には振動センサ４１が接続されており、地震等により所定の大きさ異常の振動がガスコンロ１に作用したことを検知すると、コントローラ４は図外の安全弁を閉弁してガスバーナへのガスの供給を遮断する。また、このようにガスの供給を遮断すると同時に全部のＬＥＤ２１を点灯させるようにした。なお、ＬＥＤ２１を点灯する場合の他、点滅でもよく、また点灯又は点滅を開始してから所定時間経過後に消灯するようにしてもよい。
【００１６】
次に、図４を参照して、５はガスファンヒータであり、このガスファンヒータ５は背面から延出される電源コード５１を介して供給される外部電源からの電力で作動する。また、ガスファンヒータ５の背面には着脱自在の電池ケース６を設けた。この電池ケース６は上記の電池ケース３と同様にスイッチ６２により点消灯するＬＥＤ６１を備え、単独で懐中電灯として機能するものである。なお、内部には乾電池ではなく充電可能な充電池が内蔵されている。また、ガスファンヒータ５の前面上部にはＬＥＤを備えた各種操作ボタン５２が設けられている。
【００１７】
図５を参照して、４はガスファンヒータ５に内蔵されているコントローラであり、このコントローラ４で操作ボタン５２のＬＥＤの点消灯を制御する。４１は振動センサであるが、ガスファンヒータ５に用いられる振動センサ４１は振動のみならずガスファンヒータ５の転倒を検知することができる。従って、地震の発生のみならずガスファンヒータ５が転倒した際にもコントローラ４は操作ボタン５２のＬＥＤを点灯させる。この場合も点灯のみならず点滅させてもよく、また所定時間後に消灯させてもよい。
【００１８】
５３は整流回路であり、外部の電源７から供給される交流電力を所定の電圧の直流電力に変換してコントローラ４に供給している。また、この整流回路５３から出力される直流電力によって電池ケース６内の充電池６０を充電するようにした。
【００１９】
図示のように、外部の電源７から電力の供給を受けているガスファンヒータ５であっても、停電時には充電池６０の電力を用いて操作ボタン５２のＬＥＤを点灯させることができる。また、地震などが発生していない状態で停電が発生した場合には、コントローラ４は電池ケース６のスイッチ６２をパスして、電池ケース６がガスファンヒータ５に取り付けられている状態であってもＬＥＤ６１を点灯させるようにしてもよい。なお、このように電池ケース６がガスファンヒータ５に取り付けられた状態でＬＥＤ６１が点灯されても、電池ケース６をガスファンヒータ５から取り外せば電池ケース６は懐中電灯として機能する。
【００２０】
なお、本発明は上記した形態に限定されるものではなく、本発明の要旨を逸脱しない範囲内において種々の変更を加えてもかまわない。
【図面の簡単な説明】
【００２１】
【図１】本発明の一実施の形態の構成を示す図
【図２】電池ケースの詳細を示す図
【図３】電池ケースとの接続を示す回路図
【図４】ガスファンヒータの背面を示す図
【図５】ガスファンヒータに適用する際の回路図
【符号の説明】
【００２２】
１ ガスコンロ
３ 電池ケース
４ コントローラ
５ ガスファンヒータ
６ 電池ケース
７ 電源
１１ 操作パネル
１２ 蓋板
１３ 収納部
２１ 発光部
３０ 乾電池
４１ 振動センサ
５１ 電源コード
５２ 操作ボタン
６０ 充電池
【図１】
2009074716.tif 000003
【図２】
2009074716.tif 000004
【図３】
2009074716.tif 000005
【図４】
2009074716.tif 000006
【図５】
2009074716.tif 000007